(57)【特許請求の範囲】
【請求項１】
装置本体に、駆動源機構及び適宜な伝達機構を介して駆動源機構と連結され、シートの回転巻取を行う芯部を有する巻取機構を付設した農業用マルチシートの巻取回収装置において、巻取機構の芯部が、中心軸と中心軸外周に配置された複数の巻取杆で構成されると共に、巻取杆のシート巻き取り時の巻取外径と、前記巻取外径より全体又は伝達機構連結側の反対側を小径とした離脱外径とに移行でき、且つ離脱外径方向に付勢してなる移行構造を備え、前記巻取機構を、装置本体に形成した巻取空間内に配置し、装置本体における巻取機構の芯部外周方向に、前記巻取空間内へシートを取り入れるシート取り入れ部を設け、巻取機構の伝達機構連結側と反対側の空間を開放し、当該開放箇所の開閉部材に、開閉操作で前記移行構造の操作及び保持を行う操作部を設けてなることを特徴とする農業用マルチシートの巻取回収装置。
【請求項２】
芯部中心軸に装着した筒体のスライド動作で移行が行われる移行構造を採用し、開閉部材に前記中心軸の軸受部を設け、中心軸の軸受部装着時に筒体を動作させて巻取外径移行操作がなされるようにした請求項１記載の農業用マルチシートの回収巻取装置。
【請求項３】
駆動源機構に可変速動力を採用すると共に、伝達機構に遠心式クラッチを介装してなることを特徴とする農業用マルチシートの巻取回収装置。
【発明の詳細な説明】
【０００１】
【産業上の利用分野】
本発明は、圃場に敷設された農業用マルチシートを巻き取り回収する装置に関するものである。
【０００２】
【従来技術】
圃場に敷設された農業用マルチシートは、野菜等の収穫後に回収して廃棄される。回収装置としては、巻取装置をトラクターや耕耘機で牽引しながらシートを順次巻き取り、その回収を行っている。そして広幅のものは、長手方向に切断して巻き取っている（特開平３−２６２４２５号）。
【０００３】
また巻き取り後は、巻き取り軸方向に切り開いて巻き取り軸から分離して廃棄したり、ドラム状の巻き取り軸のドラム側板（フランジ）を外し、巻き取り軸を窄めて巻き取られたシートを引き抜いて廃棄する手段が知られている（特開平１−１６５３２２号）。
【０００４】
【発明が解決しようとする課題】
ところでシート回収作業に際して、回収装置をわざわざトラクターや耕耘機で牽引することは、作業能率の面から好ましくない。そこで本発明は、圃場に設置した状態でのシート巻き取り回収可能とする装置を提供すると共に、更に回収操作性、巻き取り回収後のシートの廃棄の容易性の確保、シートの幅の広狭に対する対応を考慮した新規な装置を提案したのである。
【０００５】
【課題を解決する手段】
本発明に係る農業用マルチシートの巻取回収装置は、装置本体に、駆動源機構及び適宜な伝達機構を介して駆動源機構と連結され、シートの回転巻取を行う芯部を有する巻取機構を付設した農業用マルチシートの巻取回収装置において、巻取機構の芯部が、中心軸と中心軸外周に配置された複数の巻取杆で構成されると共に、巻取杆のシート巻き取り時の巻取外径と、前記巻取外径より全体又は伝達機構連結側の反対側を小径とした離脱外径とに移行でき、且つ離脱外径方向に付勢してなる移行構造を備え、前記巻取機構を、装置本体に形成した巻取空間内に配置し、装置本体における巻取機構の芯部外周方向に、前記巻取空間内へシートを取り入れるシート取り入れ部を設け、巻取機構の伝達機構連結側と反対側の空間を開放し、当該開放箇所の開閉部材に、開閉操作で前記移行構造の操作及び保持を行う操作部を設けてなることを特徴とするものである。
【０００６】
従って装置本体をシートを敷設した畝の端部に位置させて、操作部で芯部を巻取半径に保持し、シート端を芯部に巻き付けた状態で、駆動源機構を動作させると、畝上のシートを引っぱり出して巻き取り、巻き取り後は、操作部を操作すると、芯部が付勢力で離脱外径に移行し、リール状に巻かれたシートを芯部から外すものである。
【０００７】
また本発明は、前記巻取回収装置において、特に芯部中心軸に装着した筒体のスライド動作で移行が行われる移行構造を採用し、開閉部材に前記中心軸の軸受部を設け、中心軸の軸受部装着時に筒体を動作させて巻取外径移行操作がなされようにしたもので、操作部となる開閉部材の軸受部に芯部中心軸を装着すると、筒体が移動し中心軸が巻取外径で架設状態となり、巻き取り動作がなされ、巻き取り回収作業が終了して、操作部を芯部から外すと、取り出し箇所が開放されると同時に離脱外径に移行する。
【０００８】
更に前記の回収巻取装置において、特に駆動源機構に可変速動力を採用すると共に、伝達機構に遠心クラッチを介装してなると、駆動源機構の出力操作（回転数調整）で動作の制御を行うことができ、操作性が高められる。
【０００９】
【実施の形態】
次に本発明の第実施形態について説明する。実施形態に示した巻取回収装置は、各機構部を組み込む装置本体１と、駆動源機構２と、伝達機構３と、巻取機構４とを備えてなる。
【００１０】
装置本体１は、台状の前部本体１１と、内部に所定の空間ａを形成した箱状の後部本体１２からなり、前部本体１１の先端に、本体傾斜時（後方持ち上げ時）に接地する車輪１３を付設し、後部本体１２の側面に後方突出位置と上方突出位置への変更固定が可能なハンドル１４を付設してなる。更に後部本体１２の側面（後述する巻取機構の芯部外周方向）には、シートＡを本体内に取り入れる取り入れ口（取り入れ部）１５を形成し、後面部分を開閉扉１６とし、閉鎖時にロックされるようにし、特に後述する巻き取り機構４の芯部中心軸に対応する軸受部１７を設けて操作部を構成する。
【００１１】
駆動源機構２は、オイルタンク２１を備えた小型エンジン２２で構成され、同エンジンのアクセルレバー２３をハンドル１４に取り付けてなる。また伝達機構３は、エンジン２２のクランク軸と連結した遠心式クラッチ３１と、遠心式クラッチ３１と接続（図示した例はプーリーとベルトによる）した減速機３２からなる。
【００１２】
巻取機構４は、後部本体１２内の空間ａに配置にされるもので、伝達機構３の減速機と連結した回転板４１の中心に、後方に向かって芯部４２を突設したもので、回転板４１及び芯部４２の全体が一体に回転するものである。
【００１３】
特に芯部４２は、中心軸４２１と、その外周にシートＡの巻き取り軸（巻取外径を構成する）となる複数の巻取杆４２２を配置すると共に、巻取杆４２２の基部を回転板４１に、巻取杆４２２が中心軸４２１の方向へ折曲自在に枢結してなる。また中心軸４２１に外覆して軸に添ってスライド自在とした筒体４２４を設けると共に、巻取杆４２２の先端と前記筒体４２４とを、連結杆４２３で連結して成り、特にこの連結箇所が、軸と直交方向に折曲する節接続としてなる。更に中心軸４２１には、筒体４２４を後方に付勢する発条４２５を付設してなる。
【００１４】
しかして前記巻取回収装置はハンドル１４を持ち上げて車輪１３を接地させて運搬し、巻き取り対象のシートＡを敷設した畝の端部に位置させる。次にエンジン２２を始動させてアイドリング状態とし、同時にシートＡ端を巻取杆４２２に連結（任意の一本または全体に軽く巻き付けておく）して開閉扉１６を閉める。開閉扉１６を閉めると、軸受部１７に中心軸４２１が挿着されると同時に、筒体４２４を前方に押し込み、巻取杆４２２を巻取外径に移行し、当該状態を保持する。
【００１５】
次にアクセルレバー２３の操作で、エンジン２２の回転数を上げると、遠心クラッチ３１が接続されて、芯部４２が回転してシートＡを引っ張り込み乍ら巻取回収を行うものである。ある程度の回収（シートがとぎれたり、空間ａ一杯に回収した際）を終えると、アクセルレバー２３を操作してエンジン２２をアイドリング状態に戻すと、エンジン２２を停止することなく巻取機構４の作動を停止させる。
【００１６】
そこで開閉扉１６を開放すると、軸受部１７が中心軸から離れるので、筒体４２４が発条４２５の付勢力で後方にスライド移動し、これに伴って巻取杆４２２の後方部分が窄み、離脱半径に移行する。即ち巻き取ったシートＡはリング状となって巻取杆４２２に強く巻き付いておりそのままでは取り出すことができないが、巻取杆４２２が離脱半径に窄むことで、リング状の巻き取りシートＡを容易に取り出すことができる。
【００１７】
さらに次のシートＡの端部を巻取杆４２２に仮止めして開閉扉１６を閉めると、巻取杆４２２は巻取半径に移行し、シート巻き取りが可能となり、アクセルレバー２３の操作で巻取作業を再開できる。このようにシート巻き取り作業を効率良く実視できる。
【００１８】
尚本発明は前記実施形態の装置に限定されるものではなく、同一作用を行う構造に変更しても良い、具体的には、後部本体１２では、空間形成のために特に箱状とせずに、枠体形状として、取り入れ口１５に替えて適宜なガイド構造を採用しても良い。また開閉扉１６に替えて軸受部１７を備えた杆体で芯部４２の軸を支持するようにしても良い。
【００１９】
更に巻取外径並びに離脱外径を構成する巻取杆４２２の径移行機構は、後部が搾む構造とせずに、全体が窄む構造でも良く、更に付勢付与も筒体４２４のスライドによらず、中心軸４２１から外周方向への付勢でも良いし、同時に巻取外径移行保持も筒体４２４のスライドによらず、巻取半径構成部材を直接押し広げる構造を採用してもよい。勿論駆動源もエンジンに替えて、電源とモーターでも良い。
【００２０】
【発明の効果】
以上の通り本発明は、装置本体に、駆動源機構及び適宜な伝達機構を介して駆動源機構と連結され、シートの回転巻取を行う芯部を有する巻取機構を付設し、特に前記巻取機構の芯部が外径を変更できると共に、小径の離脱外径方向に付勢してなる移行構造を備え、且つ移行構造の操作及び保持を行う操作部を設けた農業用マルチシートの巻取回収装置で、トラクターなどによる牽引を行わずに速やかな回収作業が実現できると共に、回収シートの装置からの取り外しを容易に行うことができ、回収作業の能率を向上させるものである。
【図面の簡単な説明】
【図１】本発明の実施形態の全体の外形図。
【図２】同駆動機構及び伝達機構の外形図。
【図３】同後部本体部の外形図。
【図４】同芯部の斜視図。
【図５】同芯部の端面図。
【図６】同芯部の動作説明図で、（イ）は巻取外径時、（ロ）は離脱外径時。
【符号の説明】
Ａ       マルチシート
１       装置本体
１１     前部本体
１２     後部本体
１３     車輪
１４     ハンドル
１５     取り入れ口（取り入れ部）
１６     開閉扉（開閉部材）
１７     軸受部
１８     連結用筒部
２       駆動源機構
２１     オイルタンク
２２     小型エンジン
２３     アクセルレバー
３       伝達機構
３１     遠心式クラッチ
３２     減速機
４       巻取機構
４１     回転板
４２     芯部
４２１   中心軸
４２２   巻取杆
４２３   連結杆
４２４   筒体
４２５   発条
【図１】
0003592151.tif 000002
【図２】
0003592151.tif 000003
【図３】
0003592151.tif 000004
【図４】
0003592151.tif 000005
【図５】
0003592151.tif 000006
【図６】
0003592151.tif 000007